(57)【要約】【課題】被観察者が水没していないか監視する。【解決手段】サーバ１０は、湿度検知手段２１を有しかつ被観察者に装着された携帯端末２０から、湿度検知手段２１で検出された湿度を示す情報を受信する受信手段１１と、受信手段１１により受信された情報に基づいて、被観察者が水没をしているか判断する判断手段１２と、判断手段１２における判断結果に応じた通知を観察者に行う通知手段１３とを有する。【選択図】図１
2016206744.tif 000002
【特許請求の範囲】
【請求項１】
湿度センサを有しかつ被観察者に装着された端末から、当該湿度センサで検出された湿度を示す情報を受信する受信手段と、
前記受信手段により受信された情報に基づいて、前記被観察者が水没をしているか判断する判断手段と、
前記判断手段における判断結果に応じた通知を観察者に行う通知手段と
を有するサーバ。
【請求項２】
前記判断手段は、湿度の時間変化に基づいて前記水没を判断する
ことを特徴とする請求項１に記載のサーバ。
【請求項３】
前記判断手段は、湿度の時間変化率に基づいて前記水没を判断する
ことを特徴とする請求項１または２に記載のサーバ。
【請求項４】
前記判断手段は、湿度が基準値以上である状態が継続された時間長に基づいて前記水没を判断する
ことを特徴とする請求項１または２に記載のサーバ。
【請求項５】
前記被観察者の状況に関する付加情報を取得する取得手段を有し、
前記判断手段は、湿度に加えて前記付加情報を用いて前記水没を判断する
ことを特徴とする請求項１ないし４のいずれか一項に記載のサーバ。
【請求項６】
前記判断手段は、前記受信手段により受信された情報から得られるパラメーターとしきい値との対比結果に応じて前記水没を判断し、
前記付加情報に応じて前記しきい値を変更する変更手段をさらに有する
請求項５に記載のサーバ。
【請求項７】
前記付加情報は、前記被観察者の位置を含む所定の地理的範囲に在圏する他の端末から送信された情報を含む
ことを特徴とする請求項５または６に記載のサーバ。
【請求項８】
前記付加情報は、前記被観察者の位置を含む所定の地理的範囲において過去に検知された状態を示す情報を含む
ことを特徴とする請求項５または６に記載のサーバ。
【請求項９】
湿度を検知する検知手段と、
前記検知手段により検知された湿度を示す情報を取得する取得手段と、
前記取得手段により取得された情報に基づいて、被観察者が水没をしているか判断する判断手段と、
前記判断手段における判断結果に応じた通知を観察者に行う通知手段と
を有する水没監視システム。
【請求項１０】
湿度センサを有し、被観察者に装着された端末から当該湿度センサで検出された湿度を示す情報を受信するステップと、
前記受信された情報に基づいて、前記被観察者が水没をしているか判断するステップと
前記判断の結果に応じた通知を観察者に行うステップと
を有する水没監視方法。
【発明の詳細な説明】
【技術分野】
【０００１】
本発明は、被観察者が水没していないか監視する技術に関する。
【背景技術】
【０００２】
例えば子供の行動監視のため、ウェアラブルデバイスを用いた行動監視システムが知られている（例えば、非特許文献１および２）。これらの文献には、子供に装着したデバイスにおいて検知した情報を用いて、子供が危険な状態にいないか監視する技術が記載されている。また、特許文献１には、温度計および湿度計を用いて季節性ウイルスおよび熱中症の危険度を遠隔地から認識する技術が記載されている。
【先行技術文献】
【特許文献】
【０００３】
【特許文献１】特開２０１４−８１９０３号公報
【非特許文献】
【０００４】
【非特許文献１】“ウェアラブルセンサを用いた子供の行動識別”、［online］、平成２６年、［２０１４年９月１１日検索］、インターネット＜URL：http://kodomo.iit.tsukuba.ac.jp/common/image/miura_1ZD\6.pdf＞
【非特許文献２】“子供の危険状態検出システムの構築に向けたウェアラブルデバイスの実装”、［online］、平成２６年、［２０１４年９月１１日検索］、インターネット＜http://kodomo.iit.tsukuba.ac.jp/common/image/Usami_3ZD_8.pdf＞
【発明の概要】
【発明が解決しようとする課題】
【０００５】
非特許文献１および２並びに特許文献１に記載の技術によっては、被観察者が水没していないか監視することができなかった。
これに対し本発明は、被観察者が水没していないか監視する技術を提供する。
【課題を解決するための手段】
【０００６】
本発明は、湿度センサを有しかつ被観察者に装着された端末から、当該湿度センサで検出された湿度を示す情報を受信する受信手段と、前記受信手段により受信された情報に基づいて、前記被観察者が水没をしているか判断する判断手段と、前記判断手段における判断結果に応じた通知を観察者に行う通知手段とを有するサーバを提供する。
【０００７】
前記判断手段は、湿度の時間変化に基づいて前記水没を判断してもよい。
【０００８】
前記判断手段は、湿度の時間変化率に基づいて前記水没を判断してもよい。
【０００９】
前記判断手段は、湿度が基準値以上である状態が継続された時間長に基づいて前記水没を判断してもよい。
【００１０】
このサーバは、前記被観察者の状況に関する付加情報を取得する取得手段を有し、前記判断手段は、湿度に加えて前記付加情報を用いて前記水没を判断してもよい。
【００１１】
前記判断手段は、前記受信手段により受信された情報から得られるパラメーターとしきい値との対比結果に応じて前記水没を判断し、このサーバは、前記付加情報に応じて前記しきい値を変更する変更手段をさらに有してもよい。
【００１２】
前記付加情報は、前記被観察者の位置を含む所定の地理的範囲に在圏する他の端末から送信された情報を含んでもよい。
【００１３】
前記付加情報は、前記被観察者の位置を含む所定の地理的範囲において過去に検知された状態を示す情報を含んでもよい。
【００１４】
また、本発明は、湿度を検知する検知手段と、前記検知手段により検知された湿度を示す情報を取得する取得手段と、前記取得手段により取得された情報に基づいて、被観察者が水没をしているか判断する判断手段と、前記判断手段における判断結果に応じた通知を観察者に行う通知手段とを有する水没監視システムを提供する。
【００１５】
さらに、本発明は、湿度センサを有し、被観察者に装着された端末から当該湿度センサで検出された湿度を示す情報を受信するステップと、前記受信された情報に基づいて、前記被観察者が水没をしているか判断するステップと、前記判断の結果に応じた通知を観察者に行うステップとを有する水没監視方法を提供する。
【発明の効果】
【００１６】
本発明によれば、被観察者が水没していないか監視することができる。
【図面の簡単な説明】
【００１７】
【図１】一実施形態に係る水没監視システム１の機能構成を例示する図
【図２】サーバ１０のハードウェア構成を例示する図
【図３】携帯端末２０のハードウェア構成を例示する図
【図４】携帯端末３０のハードウェア構成を例示する図
【図５】水没監視システム１の動作を示すシーケンスチャート
【図６】データベースに記録されているデータを例示する図
【図７】水没の判断を例示する図
【図８】携帯端末３０における危険の通知画面を例示する図
【図９】水没監視システム１の変形例に係る機能構成を示す図
【発明を実施するための形態】
【００１８】
１．構成
図１は、一実施形態に係る水没監視システム１の機能構成を例示する図である。水没監視システム１は、被観察者が水没していないか監視するサービス（以下「監視サービス」という）を提供するためのシステムである。水没監視システム１は、サーバ１０、携帯端末２０、および携帯端末３０を有する。サーバ１０は、監視サービスを提供するためのサーバである。携帯端末２０は、被観察者（例えば子供）に装着される端末である。携帯端末３０は、観察者（例えば親）に携帯される端末である。サーバ１０は、携帯端末２０および携帯端末３０とネットワーク４０を介して通信する。ネットワーク４０は、例えば移動通信網およびインターネットを含む。水没監視システム１において、携帯端末２０は、被観察者の状態を検知する。サーバ１０は、携帯端末２０により検知された情報に基づいて被観察者が水没したか判断する。サーバ１０は、この判断の結果を、観察者の携帯端末３０に通知する。
【００１９】
携帯端末２０は、湿度検知手段２１および送信手段２２を有する。湿度検知手段２１は、湿度を検知する。送信手段２２は、湿度検知手段２１により検知された湿度を示す情報を、サーバ１０に送信する。
【００２０】
サーバ１０は、受信手段１１、判断手段１２、通知手段１３、取得手段１４、および変更手段１５を有する。受信手段１１は、携帯端末２０から湿度を示す情報を受信する。判断手段１２は、受信手段１１により受信された情報に基づいて、被観察者が水没をしているか判断する。通知手段１３は、判断手段１２における判断結果に応じた通知を観察者に対して行う。観察者への通知は、例えば、携帯端末３０への通知である。
【００２１】
取得手段１４は、被観察者の状況に関する付加情報を取得する。この例で、判断手段１２は、受信手段１１により受信された情報から得られるパラメーターとしきい値との対比結果に応じて前記水没を判断する。変更手段１５は、付加情報に応じてこのしきい値を動的に変更する。
【００２２】
携帯端末３０は、受信手段３１および表示手段３２を有する。受信手段３１は、サーバ１０から判断結果に応じた情報を受信する。表示手段３２は、受信手段３１により受信された情報を用いた表示を行う。
【００２３】
図２は、サーバ１０のハードウェア構成を例示する図である。サーバ１０は、ＣＰＵ１００、ＲＯＭ１０１、ＲＡＭ１０２、ストレージ１０３、および通信ＩＦ１０４を有するコンピュータ装置である。ＣＰＵ１００は、プログラムを実行することにより、各種の演算を行う。ＲＯＭ１０１は、サーバ１０の動作に用いられるプログラムやデータを記憶した不揮発性の記憶装置である。ＲＡＭ１０２は、ＣＰＵ１００がプログラムを実行する際のワークエリアとして機能する揮発性の記憶装置である。ストレージ１０３は、各種のデータやプログラムを記憶する不揮発性の記憶装置である。通信ＩＦ１０４は、ネットワーク４０を介した通信を行うためのインターフェースである。この例で、通信ＩＦ１０４は、無線通信を介して移動通信網と通信を行うためのインターフェースを含む。
【００２４】
この例で、ストレージ１０３は、コンピュータ装置を水没監視システムにおけるサーバとして機能させるためのプログラム（以下「サーバプログラム」という）を記憶している。サーバプログラムを実行しているＣＰＵ１００は、判断手段１２、通知手段１３、および変更手段１５の一例である。サーバプログラムを実行しているＣＰＵ１００に制御されている通信ＩＦ１０４は、受信手段１１および取得手段１４の一例である。
【００２５】
図３は、携帯端末２０のハードウェア構成を例示する図である。携帯端末２０はいわゆるウェアラブル端末であり、被観察者の身体に装着するための形状を有している。例えば、携帯端末２０は、リストバンド型または腕時計型の形状を有する。携帯端末２０は、ＣＰＵ２００、湿度センサ２０１、温度センサ２０２、ＧＰＳ（Global Positioning System）受信機２０３、通信ＩＦ２０４、ＲＴＣ（Real Time Clock）２０５、およびメモリ２０６を有する。湿度センサ２０１は、湿度（具体的には相対湿度）を検知する。湿度センサ２０１としては、例えば抵抗式センサまたは静電容量式センサを含むセンサが用いられる。温度センサ２０２は、温度を検知する。温度センサ２０２としては、例えば、測温抵抗体、リニア抵抗器、またはサーミスタを含むセンサが用いられる。ＧＰＳ受信機２０３は、ＧＰＳ衛星からＧＰＳ信号を受信し、受信したＧＰＳ信号を用いて地理上の現在位置を特定する。ＧＰＳ受信機２０３は、特定した位置を示す情報を出力する。通信ＩＦ２０４は、ネットワーク４０を介した通信を行うためのインターフェースである。この例で、通信ＩＦ２０４は、無線通信を介して移動通信網と通信を行うためのインターフェースを含む。ＲＴＣ２０５は、時刻を刻む装置である。ＣＰＵ２００は、ＲＴＣ２０５により計測される時刻を基に、所定の周期で各種センサから測定値をサンプリングし、メモリ２０６に書き込む。また、ＣＰＵ２００は、メモリ２０６に記憶されているデータを所定の周期で、通信ＩＦ２０４を介してサーバ１０に送信する。なお、各種センサから測定値をサンプリングする周期とサンプリングした測定値を示すデータをサーバに送信する周期とは一致していなくてもよい。例えば、携帯端末２０は、湿度センサ２０１により検知された湿度を５秒毎にサンプリングしてメモリ２０６に記憶し、メモリ２０６に記憶されているデータを３０秒毎にサーバ１０に送信してもよい。
【００２６】
この例で、湿度センサ２０１は湿度検知手段２１の一例である。通信ＩＦ２０４は送信手段２２の一例である。
【００２７】
図４は、携帯端末３０のハードウェア構成を例示する図である。携帯端末３０は、例えばスマートフォン、タブレット端末、または携帯電話機等のコンピュータ装置である。携帯端末３０は、ＣＰＵ３００、ＲＯＭ３０１、ＲＡＭ３０２，ストレージ３０３、ＧＰＳ受信機３０４、表示部３０５、および通信ＩＦ３０６を有する。ＣＰＵ３００は、プログラムを実行することにより、各種の演算を行う。ＲＯＭ３０１は、携帯端末３０の動作に用いられるプログラムやデータを記憶した不揮発性の記憶装置である。ＲＡＭ３０２は、ＣＰＵ３００がプログラムを実行する際のワークエリアとして機能する揮発性の記憶装置である。ストレージ３０３は、各種のデータやプログラムを記憶する不揮発性の記憶装置である。ＧＰＳ受信機３０４は、ＧＰＳ衛星からＧＰＳ信号を受信し、受信したＧＰＳ信号を用いて地理上の現在位置を特定する。ＧＰＳ受信機３０４は、特定した位置を示す情報を出力する。表示部３０５は、情報を表示する。表示部３０５は、例えば液晶表示装置または有機ＥＬ表示装置を含む。通信ＩＦ３０６は、ネットワーク４０を介した通信を行うためのインターフェースである。この例で、通信ＩＦ３０６は、少なくとも無線通信を介して移動通信網と通信を行うためのインターフェースを含む。通信ＩＦ３０６は、さらに、いわゆる無線ＬＡＮ（Local Area Network）の規格やBluetooth（登録商標）の規格に従った近距離無線通信を行うためのインターフェースを含んでもよい。
【００２８】
この例で、ストレージ３０３は、コンピュータ装置を水没監視システムにおけるクライアントとして機能させるためのアプリケーションプログラム（以下「クライアントアプリ」という）を記憶している。クライアントアプリを実行しているＣＰＵ３００により制御される通信ＩＦ３０６は、受信手段３１の一例である。クライアントアプリを実行しているＣＰＵ３００により制御される表示部３０５は、表示手段３２の一例である。
【００２９】
２．動作
図５は、水没監視システム１の動作を示すシーケンスチャートである。図５のフローは、例えば、携帯端末３０から水没監視の指示が入力されたことを契機として開始される。以下の例で被観察者は子供であり、観察者はその親である。携帯端末２０は腕時計型の端末であり、被観察者はこれを自身の腕に装着している。
【００３０】
水没監視システム１において、観察者と被観察者の対応関係は事前にデータベースに登録されている。例えば観察者である親は、被観察者である子供の携帯端末２０の識別子を携帯端末３０により取得する。識別子の取得は、例えば携帯端末２０と携帯端末３０との無線通信を介して行われる。あるいは、携帯端末２０に表示または印字された画像を携帯端末３０のカメラ（図示略）で読み取ることにより、携帯端末２０の識別子を取得してもよい。携帯端末３０は、自機の識別子を観察者の識別子として、さらに取得した携帯端末２０の識別子を被観察者の識別子として、サーバ１０に送信する。サーバ１０のＣＰＵ１００は、観察者と被観察者の対応関係を、ストレージ１０３に記憶されているデータベースに登録する。
【００３１】
ステップＳ１００において、携帯端末２０は、各種センサにより検知された測定値を示すデータ（以下「検知データ」という）をサーバ１０に送信する。検知データは、湿度センサ２０１により検知された湿度、温度センサ２０２により検知された温度、ＧＰＳ受信機２０３により特定された位置、および携帯端末２０の識別子（すなわち被観察者の識別子）を含む。携帯端末２０からサーバ１０への検知データの送信は、例えば所定の周期で周期的に繰り返し行われる。
【００３２】
ステップＳ１１０において、サーバ１０のＣＰＵ１００は、携帯端末２０から受信した検知データに含まれる情報を、ストレージ１０３に記憶されているデータベースに記録する。データベースに記録する際、ＣＰＵ１００は、湿度データを受信した時刻を示すタイムスタンプを付加する。なお、検知データ自体に、携帯端末２０のＲＴＣ２０５で計測された時刻を示す情報が含まれていてもよい。
【００３３】
図６は、データベースに記録されているデータを例示する図である。この例で、データベースにおいては、被観察者毎（すなわち携帯端末３０毎）に、検知された測定値の経時変化が記録されている。この例で、測定値（湿度、温度、および位置情報）のサンプリングは５秒毎に行われている。例えば湿度について見ると、データベースには、湿度変化の履歴が記録されているといえる。
【００３４】
再び図５を参照する。ステップＳ１２０において、ＣＰＵ１００は、付加情報を取得する。付加情報とは、被観察者の状況に関する情報であって、被観察者が水没しているかの判断に用いられる情報をいう。後述するように付加情報には種々の具体例が考えられる。付加情報は、例えば、携帯端末２０から受信した検知データに含まれる。あるいは、付加情報は、サーバ１０以外の別のサーバ装置により提供される。付加情報の取得は、所定の周期で周期的に繰り返し行われる。なお、この周期は、ステップＳ１００における検知データの送信周期とは独立に決められる。
【００３５】
ステップＳ１３０において、ＣＰＵ１００は、水没判断に用いられるしきい値を、付加情報に応じて決定（変更）する。水没判断のしきい値およびその決定（変更）の具体例については、水没判断について説明した後で再度説明する。
【００３６】
ステップＳ１４０において、ＣＰＵ１００は、被観察者が水没しているか判断する。この例で、被観察者が水没しているかの判断は、データベースに記録されている湿度の時間変化を用いて行われる。この例で、ＣＰＵ１００は、データベースに記録されている湿度の時間変化から湿度の変化率および高湿度の継続時間の２つのパラメーターを算出し、これらを用いて水没の判断を行う。湿度の変化率Ｒは、直近２回の湿度を用いて次式（１）から得られる。
Ｒ＝（Ｈ１−Ｈ２）／ΔＴ    …（１）
ここで、Ｈ１は最も直近に測定された湿度を、Ｈ２はその１回前に測定された湿度を、ΔＴはこれら２回の測定の時間差を、それぞれ示す。また、高湿度の継続時間Ｄは、変化率Ｒが式（１）の条件を満たしたときを基点として、湿度Ｈが
Ｈ≧Ｈｔｈ    …（２）
を継続して満たしている時間をいう。ここで、しきい値Ｈｔｈは高湿度のしきい値であり、例えばＨｔｈ＝９０％である。
【００３７】
水没の判断においては、湿度の変化率Ｒおよび高湿度の継続時間Ｄのそれぞれに対ししきい値が設定される。変化率Ｒに対するしきい値をＲｔｈといい、継続時間Ｄに対するしきい値をＤｔｈという。Ｒ≧Ｒｔｈの場合、湿度が急激に上昇していることを意味し、Ｄ≧Ｄｔｈの場合、高湿度の状態が長時間継続していることを意味する。
【００３８】
ＣＰＵ１００は、ある被観察者において次式（３）の条件が満たされた場合、その被観察者は水没の危険があると判断する。
Ｄ≧Ｄｔｈ    …（３）
この条件が満たされているということは、被観察者が、湿度が急激に上昇し、その直後から高湿度の状態が長時間継続している環境に置かれていることを意味している。ＣＰＵ１００は、その被観察者について水没の危険（水に溺れている危険）があると判断する。
【００３９】
これに対し、次式（４）の条件が満たされている場合、ＣＰＵ１００は、水没の危険は少ないと判断する。
Ｄ＜Ｄｔｈ    …（４）
この条件が満たされているということは、被観察者が、湿度が急激に上昇したが高湿度の状態が長時間は継続していない環境に置かれていることを意味している。これは例えば、腕時計型の携帯端末２０を装着したまま被観察者が手を洗っているような状況である。
【００４０】
また、次式（５）の条件が満たされている場合、ＣＰＵ１００は、水没の危険は少ないと判断する。
Ｒ＜Ｒｔｈ…（５）
この条件が満たされているということは、被観察者が、湿度が緩やかに上昇する環境に置かれていることを意味している。例えば湿度Ｈがしきい値Ｈｔｈ以上でありそれが長時間継続していても、あくまで湿度の変化率は緩やかである。これは例えば、被観察者が屋外にいて雨が降っているような状況である。
【００４１】
図７は、水没の判断を例示する図である。時刻ｔ０と時刻ｔ１の間で湿度が急激に上昇しており、時刻ｔ１において変化率Ｒがしきい値Ｒｔｈ以上となっている。湿度Ｈは、時刻ｔ１から継続してしきい値Ｈｔｈ以上の状態が継続しており、時刻ｔ２において継続時間Ｄがしきい値Ｄｔｈを超えている。この場合、時刻ｔ２において、サーバ１０は、被観察者に水没の危険があると判断する。
【００４２】
ここで、ステップＳ１３０における水没判断のしきい値およびその決定（変更）の具体例について説明する。水没判断に用いられるしきい値とは、例えば、式（２）〜（５）で用いられたＨｔｈ、Ｒｔｈ、およびＤｔｈである。これらのしきい値に対しては初期値があらかじめ決められている。ステップＳ１３０においては、これらのうち少なくとも１つの値が、付加情報に応じて初期値から変更される。
【００４３】
ここでは、付加情報が現在の日付である例を用いて説明する。この例で、継続時間のしきい値Ｄｔｈは、現在の日付に応じて決められる。例えば、ＣＰＵ１００は、現在が夏であればしきい値Ｄｔｈが相対的に長くなり、現在が冬であればしきい値Ｄｔｈが相対的に短くなるように、しきい値Ｄｔｈを決定する。現在が夏でも冬でもない場合、しきい値Ｄｔｈは相対的に中程度の値に決定される。例えば夏場は子供が水辺で遊ぶ機会が増えるので、高湿度の状態が１分継続しても、それは水遊びをしているだけという可能性がある。しかし、冬場に水遊びをする可能性は低いので、高湿度の状態が１分継続すればそれは何らかの異常が発生している可能性が高い。このように、付加情報を用いることによってより詳細な判断を行うことができる。
【００４４】
図５の動作説明に戻る。ステップＳ１５０において、ＣＰＵ１００は、判断の結果を観察者に通知する。この例では、被観察者において水没の危険があると判断された場合、その被観察者に対応する観察者に対し、水没の危険がある旨を通知する。
【００４５】
ステップＳ１６０において、携帯端末３０のＣＰＵ３００は、サーバ１０からの通知に応じて、被観察者の水没の危険を観察者に通知する。観察者への危険の通知は、例えば、画像、音、および振動の少なくとも１つを用いて行われる。
【００４６】
図８は、携帯端末３０における危険の通知画面を例示する図である。携帯端末３０のＣＰＵ３００は、表示部３０５にこの画面を表示するとともに、スピーカー（図示略）から音を出力し、さらにバイブレーター（図示略）を振動させる。
【００４７】
以上で説明したように本実施形態によれば、被観察者の水没の危険を予測し、観察者に通知することができる。なお、ステップＳ１２０〜Ｓ１５０の処理は、所定の周期で繰り返し実行される。
【００４８】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００４９】
３−１．変形例１
水没の判断において用いられる付加情報およびしきい値の決定（変更）方法は実施形態で例示したものに限定されない。付加情報としては、例えば以下で例示するもののうち少なくとも１つが用いられてもよい。また、付加情報は、水没の判断のしきい値の変更に用いられるものに限られず、例えば式（３）のような条件と付加情報に関する条件が併用され、水没の判断が行われてもよい。さらに、複数の付加情報が組み合わせて用いられてもよい。
【００５０】
（１）ユーザ属性
ユーザ属性とは、被観察者の属性をいい、例えば、年齢、性別、または居住地などをいう。サーバ１０は、例えば、被観察者が子供である場合は相対的に水没と判断されやすく、被観察者が大人である場合は相対的に水没と判断されにくくなるように、しきい値を決定する。具体的には、年齢が低いほどしきい値Ｄｔｈが短く、年齢が高いほどしきい値Ｄｔｈが長くなるようにしきい値が決定される。なお、ユーザ属性は、あらかじめサーバ１０のデータベースに登録される。
【００５１】
（２）位置情報
位置情報とは、携帯端末２０の現在位置を示す情報である。サーバ１０は、例えば、河川や海に近い場所では相対的に水没と判断されにくく、内陸の水が無い場所では相対的に水没と判断されやくなるように、しきい値を決定する。具体的には、河川や海の近辺ではしきい値Ｄｔｈが長く、内陸ではしきい値Ｄｔｈが短くなるようにしきい値が決定される。
【００５２】
（３）天気情報（または天気予報）
天気情報とは、携帯端末２０の現在位置における現在の天気、または予想される天気を示す情報である。サーバ１０は、例えば、天気が雨のときは高湿度のしきい値Ｈｔｈが相対的に高く、天気が晴れのときはしきい値Ｈｔｈが相対的に低くなるように、しきい値を決定する。
【００５３】
（４）加速度
この例で、携帯端末２０は加速度センサを有しており、検知データには加速度の情報が含まれる。サーバ１０は、加速度ａがしきい値ａｔｈを超えている場合に相対的に水没と判断されやすくなるように、しきい値を決定する。具体的には、加速度がしきい値を超えている場合には、超えていない場合と比較してしきい値Ｄｔｈが短くなるようにしきい値が決定される。なお、加速度のしきい値ａｔｈが他の付加情報に応じて変更されてもよい。
【００５４】
（５）近辺に位置する他端末の検知データ
この例では、ある被観察者の水没の判断に、その時点で地理的に近い範囲にいる他の携帯端末２０から送信された検知データが用いられる。例えば、現在ある公園内に位置する複数の携帯端末２０から送信された検知データがみな一様に湿度の上昇を示していた場合、公園において雨が降っていると考えられる。これに対し、これら複数の携帯端末２０のうち一部の携帯端末においてのみ湿度の上昇が検知され、他の携帯端末２０においては湿度の上昇が検知されていない場合、この一部の携帯端末２０において異常事態が発生している（例えば１人だけ水に溺れている）可能性が高い。このような場合、より早く観察者に通知をするため、サーバ１０は、相対的に水没と判断されやすくなるように、しきい値を決定する。
【００５５】
（６）近辺における過去の検知データ
この例では、ある被観察者の水没の判断に、地理的に近い範囲において過去に検知された検知データが用いられる。例えば、過去の検知データから事故の起こりやすい場所（例えば式（３）の条件が満たされやすい場所）を特定することができる。このような場合、同様の事故が起こる危険性が高いので、より早く観察者に通知をするため、サーバ１０は、相対的に水没と判断されやすくなるように、しきい値を決定する。
【００５６】
（７）温度
この例では、ある被観察者の水没の判断に、その被験者の携帯端末２０において検知された温度が用いられる。例えば、気温が高い方が飽和水蒸気圧は高くなるので、気温の高い方がＲｔｈが大きく、気温の低い方がＲｔｈが小さくなるように、しきい値が決定される。
【００５７】
（８）湿度
例えば湿度の変化率Ｒのしきい値が３０ポイントで固定されていたとすると、湿度が７０％を超える環境では変化率Ｒがしきい値を超えることはできない。このような事態を回避するため、サーバ１０は、平常時の（水没の危険が無い状態での）湿度が高いほどしきい値Ｒｔｈが小さく、湿度が高いほどＲｔｈが大きくなるように、しきい値を決定する。
【００５８】
３−２．変形例２
付加情報の用途は、実施形態および変形例１で例示したような、しきい値を変化させる指標に限定されない。サーバ１０は、湿度に関する条件と付加情報に関する条件とを併用して水没の判断を行ってもよい。例えば変形例１の（５）に関連して、サーバ１０は、実施形態の式（３）の条件に加え、所定の地理的範囲に在圏する複数の携帯端末２０から受信した検知データにより、対象となる被観察者の検知データが特異であるという条件が満たされた場合に、被観察者に水没の危険があると判断してもよい。別の例で、サーバ１０は、実施形態の式（３）の条件に加え、温度が急激に低下したという条件が満たされた場合に、被観察者に水没の危険があると判断してもよい。
【００５９】
３−３．変形例３
被観察者に観察者の状況を通知する方法は、実施形態で例示したものに限定されない。例えば、携帯端末３０は、携帯端末２０との距離すなわち被観察者との距離が離れている場合にのみ、観察者に通知を行ってもよい。例えば、携帯端末３０と携帯端末２０とがBluetooth（登録商標）等の近距離無線通信によってペアリングされている。携帯端末３０と携帯端末２０とがペアリングされている間（すなわち近距離無線通信の電波到達範囲にいる間）は、携帯端末３０は、サーバ１０から通知を受けても観察者に対して通知を行わない。これは、被観察者が観察者の目の届く範囲にいると考えられ、わざわざ通知をする必要性が低いためである。これに対し、携帯端末２０とのペアリングが行われていないとき（すなわち近距離無線通信の電波到達範囲に携帯端末２０がいないとき）は、携帯端末３０は、サーバ１０からの通知に応じて観察者に通知を行う。これは、被観察者が観察者の目の届く範囲にいないと考えられ、通知をする必要が高いためである。
【００６０】
なお、観察者への通知は、被観察者に水没の危険があるときに行われるものに限られない。被観察者に水没の危険がない（すなわち安全である）と判断されているときに継続的に観察者に対して通知が行われてもよい。観察者は、携帯端末３０からの通知が無くなると、被観察者が危険な状態にあると判断することができる。
【００６１】
３−４．他の変形例
水没監視システム１に含まれる各装置のハードウェア構成は、図２〜４で例示したものに限定されない。要求される機能を実現できるものであれば、サーバ１０、携帯端末２０、および携帯端末３０は、それぞれどのようなハードウェア構成を有していてもよい。図２〜４で例示した要素の一部が省略されてもよいし、これら以外の要素を有していてもよい。例えば、観察者の端末は携帯端末に限定されず、据え置き型のコンピュータ装置であってもよい。
【００６２】
水没監視システム１における機能の分担は、実施形態で説明したものに限定されない。例えば、水没の判断はサーバ１０ではなくクライアント（携帯端末２０）が行ってもよい。この場合、検知データは携帯端末２０からサーバ１０を介して携帯端末３０に送信されてもよいし、携帯端末２０から直接、携帯端末３０に送信されてもよい。
【００６３】
図９は、水没監視システム１の一変形例に係る機能構成を示す図である。図９の例では、水没判断および観察者への通知の機能が携帯端末２０に集約されている。具体的には、携帯端末２０は。湿度検知手段２１、取得手段９２２、取得手段９１４、変更手段９１５、判断手段９１２、および通知手段９１３を有する。サーバ１０は、受信手段９１１および送信手段９１６を有する。携帯端末２０において、取得手段９２２は、湿度検知手段２１により検知された湿度を示す情報を取得する。取得手段９１４は、付加情報を取得する。変更手段９１５は、水没の判断において用いられるしきい値を変更する。変更手段９１５は、例えば取得手段９１４により取得された付加情報に応じてしきい値を変更する。判断手段９１２は、被観察者が水没しているか判断する。通知手段は、判断手段９１２の判断結果をサーバ１０に通知する。サーバ１０において、受信手段９１１は、携帯端末２０から通知を受信する。送信手段９１６は、受信手段９１１が受信した通知を携帯端末３０に送信する。なお、携帯端末２０は、携帯端末３０と通信可能な状態にあるとき（例えば近距離無線通信の電波到達範囲内にあるとき）は、サーバ１０に代えて（または加えて）判断結果を携帯端末３０に直接送信してもよい。
【００６４】
上述の実施形態においてＣＰＵ３００等によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読取り可能な記録媒体に記憶した状態で提供されてもよい。また、このプログラムは、インターネットのようなネットワーク経由でダウンロードされてもよい。
【符号の説明】
【００６５】
１…水没監視システム、１０…サーバ、１１…受信手段、１２…判断手段、１３…通知手段、１４…取得手段、１５…変更手段、２０…携帯端末、２１…湿度検知手段、２２…送信手段、３０…携帯端末３０、３１…受信手段、３２…表示手段、１００…ＣＰＵ、１０１…ＲＯＭ１０１…ＲＡＭ、１０３…ストレージ、１０４…通信ＩＦ、２００…ＣＰＵ、２０１…湿度センサ、２０２…温度センサ、２０３…ＧＰＳ受信機、２０４…通信ＩＦ、２０５…ＲＴＣ、２０６…メモリ、３００…ＣＰＵ、３０１…ＲＯＭ、３０２…ＲＡＭ，３０３…ストレージ、３０４…ＧＰＳ受信機、３０５…表示部、３０６…通信ＩＦ
【図１】
2016206744.tif 000003
【図２】
2016206744.tif 000004
【図３】
2016206744.tif 000005
【図４】
2016206744.tif 000006
【図５】
2016206744.tif 000007
【図６】
2016206744.tif 000008
【図７】
2016206744.tif 000009
【図８】
2016206744.tif 000010
【図９】
2016206744.tif 000011